(57)【要約】【課題】簡単な構成で部品点数を減らすことが可能な足載せ装置を提供する。【解決手段】足載せ装置１は支持軸１００と支持アーム２００と取付ブラケット３００とを備える。支持アーム２００の他方端部は互いに対向する二つのアーム側板部２２１、２２２を有し、これらの各々は支持軸１００の延びる方向に外側に折り曲げられたアーム側折り曲げ端板部２２３、２２４を有している。取付ブラケット３００は互いに対向する二つのブラケット側板部３２１、３２２を有し、これらは二つのアーム側板部２２１、２２２を外側から挟むように配置されている。端面３２３、３２４が端面２２５、２２６に当接し、端面３２５、３２６が内側面２２７、２２８に当接することにより、取付ブラケット３００が支持アーム２００の回動を係止し、このとき、ブラケット側折り曲げ端板部３２７は二つのアーム側板部２２１と２２２の間に挿入されるように配置されている。【選択図】図３
2010068836.tif 000002
【特許請求の範囲】
【請求項１】
支持軸と、
一方端部に足載せ部が取り付けられ、他方端部に前記支持軸が取り付けられ、前記支持軸を中心として回動する支持アームと、
一方端部が座席に固定され、他方端部に前記支持軸が取り付けられ、前記支持アームの他方端部を係止する取付ブラケットとを備え、
前記支持アームの他方端部は、互いに対向する二つのアーム側板部を有し、前記二つのアーム側板部の各々の端部は、前記支持軸の延びる方向に外側に折り曲げられたアーム側折り曲げ端板部を有しており、
前記取付ブラケットは、互いに対向する二つのブラケット側板部を有し、前記二つのブラケット側板部は、前記二つのアーム側板部を外側から挟むように配置されており、
前記二つのブラケット側板部の各々の端面が、前記二つのアーム側板部の各々のアーム側折り曲げ端板部の回動方向側の端面に当接し、かつ、前記二つのアーム側板部の各々のアーム側折り曲げ端板部の前記支持軸側の内側面に当接することにより、前記取付ブラケットが前記支持アームの回動を係止し、
前記二つのブラケット側板部のいずれか一方は、前記支持軸の延びる方向に折り曲げられたブラケット側折り曲げ端板部を有し、前記取付ブラケットが前記支持アームの回動を係止するとき、前記ブラケット側折り曲げ端板部は前記二つのアーム側板部の間に挿入されるように配置されている、乗り物用座席の足載せ装置。
【請求項２】
前記支持アームは、足載せ部が取り付けられる第１のアームと、前記第１のアームに接続され、前記支持軸が取り付けられた第２のアームとを含む、請求項１に記載の乗り物用座席の足載せ装置。
【発明の詳細な説明】
【技術分野】
【０００１】
この発明は、一般的には鉄道車両、自動車、航空機等に装備される乗り物用座席の足載せ装置に関し、特定的には乗り物用座席の背面側の下部に取り付けられ、当該座席の後方に配置された別の座席の着座者が足を載せられるようにした足載せ装置に関するものである。
【背景技術】
【０００２】
従来から、この種の乗り物用の足載せ装置は、よく知られており、たとえば、特開平８−２３０５４２号公報（特許文献１）に開示されている。足載せ装置は、座席の台枠の背面側に、後方下側に延びる一対の平行リンク機構をそれぞれ上下方向に回動可能に設け、各平行リンク機構の先端間に足載せ部を取り付けたものである。
【特許文献１】特開平８−２３０５４２号公報
【発明の開示】
【発明が解決しようとする課題】
【０００３】
しかしながら、従来の足載せ装置の平行リンク機構においては、構成部品点数が非常に多いという問題があった。このため、平行リンク機構の重量が重い。
【０００４】
また、構成部品が鋳造部品などからなるので、高度な部品加工を行うために製造コストが高くなるという問題があった。
【０００５】
そこで、この発明の目的は、簡単な構成で部品点数を減らすことが可能な乗り物用座席の足載せ装置を提供することである。
【課題を解決するための手段】
【０００６】
この発明に従った乗り物用座席の足載せ装置は、支持軸と、支持アームと、取付ブラケットとを備える。支持アームは、一方端部に足載せ部が取り付けられ、他方端部に支持軸が取り付けられ、支持軸を中心として回動するものである。取付ブラケットは、一方端部が座席に固定され、他方端部に支持軸が取り付けられ、支持アームの他方端部を係止するものである。
【０００７】
支持アームの他方端部は、互いに対向する二つのアーム側板部を有している。二つのアーム側板部の各々の端部は、支持軸の延びる方向に外側に折り曲げられたアーム側折り曲げ端板部を有している。
【０００８】
取付ブラケットは、互いに対向する二つのブラケット側板部を有している。二つのブラケット側板部は、二つのアーム側板部を外側から挟むように配置されている。
【０００９】
二つのブラケット側板部の各々の端面が、二つのアーム側板部の各々のアーム側折り曲げ端板部の回動方向側の端面に当接し、かつ、二つのアーム側板部の各々のアーム側折り曲げ端板部の支持軸側の内側面に当接することにより、取付ブラケットが支持アームの回動を係止するようになっている。
【００１０】
二つのブラケット側板部のいずれか一方は、支持軸の延びる方向に折り曲げられたブラケット側折り曲げ端板部を有し、取付ブラケットが支持アームの回動を係止するとき、ブラケット側折り曲げ端板部は二つのアーム側板部の間に挿入されるように配置されている。
【００１１】
この発明の足載せ装置においては、支持アームの他方端部と取付ブラケットは、板部材で形成されている。このため、簡単な板金加工によって支持アームの他方端部と取付ブラケットを作製することができる。
【００１２】
そして、過大な荷重が加えられることによって支持アームが過大に回動させられたとき、二つのブラケット側板部の各々の端面が、二つのアーム側板部の各々のアーム側折り曲げ端板部の回動方向側の端面に当接するだけでなく、二つのアーム側板部の各々のアーム側折り曲げ端板部の支持軸側の内側面にも当接することによって、支持アームの回動を係止するようになっている。このため、足載せ等によって過大な荷重が支持アームに加えられることにより、アーム側折り曲げ端板部の回動方向側の端面の先端縁がブラケット側板部の端面に当接することによって変形するのを防止することができる。
【００１３】
また、取付ブラケットが支持アームの回動を係止するとき、ブラケット側折り曲げ端板部は二つのアーム側板部の間に挿入されるように配置されている。これにより、二つのアーム側板部が互いに内側面に向かって折れ曲がるのを防止することができる。
【００１４】
このようにして、支持アームの他方端部と取付ブラケットとが簡単な板金加工によって形成された板状部材から構成されても、足載せ等によって過大な荷重が支持アームに加えられることによって支持アームの他方端部と取付ブラケットとが変形しないように必要な強度を保つことが可能となる。その結果、板金のプレス加工によって足載せ装置を簡単な構成で実現することができ、部品点数を減らすことが可能になり、足載せ装置の軽量化を図ることができる。
【００１５】
この発明の乗り物用座席の足載せ装置において、支持アームは、足載せ部が取り付けられる第１のアームと、第１のアームに接続され、支持軸が取り付けられた第２のアームとを含むことが好ましい。
【００１６】
このようにすることにより、足載せ等によって荷重が加えられる第１のアーム部分の材質と、回動の基端部として作用する第２のアーム部分の材質を異ならせることができる。これにより、必要に応じて支持アームの強度を保持することができる。
【発明の効果】
【００１７】
以上のように、この発明によれば、板金のプレス加工によって足載せ装置を簡単な構成で実現することができ、部品点数を減らすことが可能になり、足載せ装置の軽量化を図ることができるので、安価で量産可能な乗り物用座席の足載せ装置を提供することができる。
【発明を実施するための最良の形態】
【００１８】
以下、この発明の一つの実施の形態を図面に基づいて説明する。
【００１９】
図１は本発明の一つの実施形態として収納時における足載せ装置の一対の平行リンク機構の一方側を示す側面図、図２は図１のＩＩ方向から見た図である。
【００２０】
図３は本発明の一つの実施形態として使用時における足載せ装置の一対の平行リンク機構の一方側を示す側面図、図４は図３のＩＶ方向から見た図である。
【００２１】
図１〜図４に示すように、足載せ装置１は、支持軸１００と、支持アーム２００と、取付ブラケット３００とを備える。
【００２２】
支持軸１００は、たとえば、ボルト等の棒状部で構成される。
【００２３】
支持アーム２００は、一方端部に足載せ部が取り付けられる第１のアーム２１０と、第１のアーム２１０に接続され、他方端部に支持軸１００が取り付けられた第２のアーム２２０とから構成される。第１のアーム２１０と第２のアーム２２０とは、たとえば、接続孔２３１、２３２にボルト等を挿入することによって接続されている。支持アーム２００は、支持軸１００を中心として、図１に示すように使用する際には矢印Ｐで示される方向に回動し、図３に示すように収納する際には矢印Ｑで示される方向に回動する。
【００２４】
足載せ板や足載せ棒などの足載せ部は、たとえば、第１のアーム２１０の取付穴２１１にボルト等を挿入することによって取り付けられる。第１のアーム２１０と第２のアーム２２０は板材から形成されている。第２のアーム２２０は、板金のプレス加工によって形成され、ほぼＵ字形状の断面を有し、互いに対向する二つのアーム側板部２２１と２２２と、これらのアーム側板部２２１と２２２を連結する連結板部２２９とから構成されている。第２のアーム２２０の一方端部におけるほぼＵ字形状の開口部に第１のアーム２１０の他方端部を挿入し、接続孔２３１、２３２にボルト等を挿入することによって、第１のアーム２１０と第２のアーム２２０とが接続されている。なお、第１のアーム２１０には、軽量化を図るために複数の貫通孔２１２が形成されている。
【００２５】
取付ブラケット３００は、一方端部が座席に固定され、他方端部に支持軸１００が取り付けられ、支持アーム２００の他方端部を係止する係止部３２０が形成されている。取付ブラケット３００の一方端部には、座席の台枠の背面側に取り付けるための座席取付部３１０が形成され、たとえば、ボルト取付穴等が形成されている。取付ブラケット３００は、板金のプレス加工によって形成されている。係止部３２０は、板の端面３２３と３２４と、板の端面３２５と３２６とからなる。
【００２６】
支持アーム２００の他方端部、すなわち、第２のアーム２２０の他方端部は、互いに対向する二つのアーム側板部２２１と２２２を有している。アーム側板部２２１の取付ブラケット３００側の端部には、支持軸１００の延びる方向に外側に折り曲げられることによってアーム側折り曲げ端板部２２３が形成されている。アーム側板部２２２の取付ブラケット３００側の端部には、支持軸１００の延びる方向に外側に折り曲げられることによってアーム側折り曲げ端板部２２４が形成されている。
【００２７】
取付ブラケット３００は、互いに対向する二つのブラケット側板部３２１と３２２を有している。二つのブラケット側板部３２１と３２２は、二つのアーム側板部２２１と２２２を外側から挟むように配置されている。二つのブラケット側板部３２１と３２２の一方であるブラケット側板部３２２には、支持軸１００の延びる方向に折り曲げられることによってブラケット側折り曲げ端板部３２７が形成されている。ブラケット側折り曲げ端板部３２７の先端部は、支持アーム２００が回動するにつれて二つのアーム側板部２２１と２２２の間に入り込むことができるように配置されている。
【００２８】
第２のアーム２２０には、たとえば、二つのアーム側板部２２１と２２２の間を連結し、支持軸１００の延びる方向に直立するように棒状体２４０が取り付けられている。一方、取付ブラケット３００の一方のブラケット側板部３２１には、たとえば、互いに離隔した所定の位置に二つの貫通孔３２８と３２９が形成されている。棒状体２４０の一方側の端部は、一方のアーム側板部２２１の表面から外側に突出しており、たとえば、ほぼ球面に形成されている。図１に示す収納時には、棒状体２４０のほぼ球面に形成された端部が貫通孔３２９に入り込んだ状態で保持されている。図１に示す状態から支持アーム２００が矢印Ｐの方向に回動すると、図３に示す使用時には、棒状体２４０のほぼ球面に形成された端部が貫通孔３２８に入り込んだ状態で保持されている。このようにして、支持アーム２００の収納時と使用時、すなわち、支持アーム２００の一方端部に取り付けられる足載せ部の収納時と使用時における位置を保持することができるようになっている。
【００２９】
以上のように構成することにより、この発明の一つの実施の形態である足載せ装置１においては、支持アーム２００の他方端部と取付ブラケット３００は、板部材で形成されている。このため、簡単な板金加工によって支持アーム２００の他方端部と取付ブラケット３００を作製することができる。
【００３０】
このように板部材で構成された足載せ装置１の一対の平行リンク機構において、図１と図２に示す収納時の状態から、図３と図４に示す使用時の状態にするためには、図１にて支持アーム２００を矢印Ｐの方向に回動させる。逆に、図３と図４に示す使用時の状態から、図１と図２に示す収納時の状態にするためには、図３にて支持アーム２００を矢印Ｑの方向に回動させる。このような収納時と使用時における支持アーム２００の回動位置は、上述したように、たとえば、棒状体２４０と二つの貫通孔３２８と３２９の各々との係合によって保持される。
【００３１】
しかし、図１と図２に示す収納時の位置から図３と図４に示す使用時の位置に、矢印Ｐの方向に支持アーム２００を回動させる場合に、人間の足によって過大な荷重が加えられる場合がある。また、図３と図４に示す使用時の位置において、足載せ部を介して支持アーム２００に体重等によって過大な荷重が加えられる場合がある。このような場合、その過大な荷重が加えられることによって支持アーム２００が、図１に示す矢印Ｐの方向に向かって過大に回動させられても、取付ブラケット３００が支持アーム２００の回動を係止することができるように必要な強度、たとえば、許容荷重として２００ｋｇ以上に耐えることが可能な強度を保つことが要求される。このような要求に応えるために本発明の一つの実施の形態である足載せ装置１の一対の平行リンク機構においては、次のように構成されている。
【００３２】
図３と図４に示すように、過大な荷重が加えられることによって支持アーム２００が、図１に示す矢印Ｐの方向に向かって過大に回動させられたとき、一方のブラケット側板部３２１の端面３２３がアーム側板部２２１のアーム側折り曲げ端板部２２３の回動方向側の端面２２５に当接し、他方のブラケット側板部３２２の端面３２４がアーム側板部２２２のアーム側折り曲げ端板部２２４の回動方向側の端面２２６に当接する。これらの当接と同時に、一方のブラケット側板部３２１の端面３２５がアーム側板部２２１のアーム側折り曲げ端板部２２３の支持軸１００側の内側面２２７に当接し、他方のブラケット側板部３２２の端面３２６がアーム側板部２２２のアーム側折り曲げ端板部２２４の支持軸１００側の内側面２２８に当接する。このような４箇所の当接により、取付ブラケット３００が支持アーム２００の回動を係止するようになっている。
【００３３】
このようにして、過大な荷重が加えられることによって支持アーム２００が図１に示す矢印Ｐの方向に向かって過大に回動させられたとき、二つのブラケット側板部３２１と３２２の各々の端面３２３と３２４が、二つのアーム側板部２２１と２２２の各々のアーム側折り曲げ端板部２２３と２２４の回動方向側の端面２２５と２２６に当接するだけでなく、二つのブラケット側板部３２１と３２２の各々の端面３２５と３２６が、二つのアーム側板部２２１と２２２の各々のアーム側折り曲げ端板部２２３と２２４の支持軸１００側の内側面２２７と２２８にも当接することによって、支持アーム２００の回動を係止するようになっている。このため、足載せ等によって過大な荷重が支持アーム２００に加えられることにより、アーム側折り曲げ端板部２２３と２２４の回動方向側の端面２２５と２２６の先端縁がブラケット側板部３２１と３２２の端面３２３、３２４に当接することによって変形するのを防止することができる。
【００３４】
さらに、図３と図４に示すように、取付ブラケット３００が支持アーム２００の回動を係止するとき、ブラケット側折り曲げ端板部３２７は二つのアーム側板部２２１と２２２の間、すなわち、アーム側折り曲げ端板部２２３と２２４との間に挿入されるように配置されている。このようにすることにより、二つのアーム側板部２２１と２２が互いに内側面に向かって折れ曲がるのを防止することができる。なお、この場合、二つのアーム側板部２２１と２２２が互いに内側面に向かって折れ曲がるのをより効果的に防止するために、ほぼ９０°の角度で曲げることによってアーム側折り曲げ端板部２２３と２２４を形成するのではなく、さらに５°程度内方に曲げることによってアーム側折り曲げ端板部２２３と２２４を形成してもよい。
【００３５】
したがって、支持アーム２００の他方端部と取付ブラケット３００とが簡単な板金加工によって形成された板部材から構成されても、足載せ等によって過大な荷重が支持アーム２００に加えられることによって支持アーム２００の他方端部と取付ブラケット３００とが変形しないように必要な強度を保つことが可能となる。その結果、板金のプレス加工によって足載せ装置１を簡単な構成で実現することができ、部品点数を減らすことが可能になり、足載せ装置１の軽量化を図ることができる。同じ仕様の足載せ装置を作製する場合、たとえば、従来の装置における平行リンク機構の重量が１．６ｋｇ程度であれば、本発明の装置における平行リンク機構の重量を約７００ｇ程度に軽量化することができる。
【００３６】
この実施形態の足載せ装置１において、支持アーム２００は、足載せ部が取り付けられる第１のアーム２１０と、第１のアーム２１０に接続され、支持軸１００が取り付けられた第２のアーム２２０とから構成されている。このようにすることにより、足載せ等によって荷重が加えられる第１のアーム２１０部分の材質と、回動の基端部として作用する第２のアーム２２０部分の材質を異ならせることができる。これにより、必要に応じて支持アーム２００の強度を保持することができる。
【００３７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【図面の簡単な説明】
【００３８】
【図１】本発明の一つの実施形態として収納時における足載せ装置の一対の平行リンク機構の一方側を示す側面図である。
【図２】図１のＩＩ方向から見た図である。
【図３】本発明の一つの実施形態として使用時における足載せ装置の一対の平行リンク機構の一方側を示す側面図である。
【図４】図３のＩＶ方向から見た図である。
【符号の説明】
【００３９】
１：足載せ装置、１００：支持軸、２００：支持アーム、２１０：第１のアーム、２２０：第２のアーム、２２１，２２２：アーム側板部、２２３，２２４：アーム側折り曲げ端板部、２２５，２２６，３２３，３２４，３２５，３２６：端面、２２７，２２８：内側面、３００：取付ブラケット、３２１，３２２：ブラケット側板部、３２７：ブラケット側折り曲げ端板部。
【図１】
2010068836.tif 000003
【図２】
2010068836.tif 000004
【図３】
2010068836.tif 000005
【図４】
2010068836.tif 000006